(57)【要約】      （修正有）【課題】取り付け易く、脱落が防止できるダクトカバー固定装置を提供する。【解決手段】ダクト本体が横方向、縦方向のどちらに配置されていても適用可能である。特に、縦方向に配置されたダクト本体１６にダクトカバー１７を固定する場合には、ダクトカバーがダクト本体に被せられ、留具２がダクト本体の側壁部１８の外側面ボルト５と側壁部に固定されたナット３とで取り付けられ、留具のフック部１１がダクトカバーの表面に重ねられて受止め部２３を支える構成を有し、ダクトカバーをダクト本体に被せてから固定するまでの間、作業者がダクトカバーを下方にずれないように支持する必要はなく、ダクトカバーが取り付け易くなる。しかも、フック部と受止め部とが互いに係り合うことにより、ダクトカバーのダクト本体からの脱落を防止できる。【選択図】図１
0003189483.tif 000002
【実用新案登録請求の範囲】
【請求項１】
ダクト本体にダクトカバーを固定する留具とボルトとナットと受止め部とかなるダクトカバー固定装置であって、留具が本体部と本体部の一端部から折り曲げられたフック部と本体部の他端部からフック部と同じ側に折り曲げられた支点部と本体部に設けられた貫通孔部とを備えており、ナットがダクト本体の側壁部に固定されて側壁部からダクト本体の外側に突出した構成であり、受止め部がダクトカバーからダクトカバーの表面の側に突出した構成であり、ダクトカバーがダクト本体に被せられ、留具がダクト本体の側壁部の外側面側にボルトと上記ナットとで取り付けられ、留具のフック部がダクトカバーの表面に重ねられて受止め部を支え、ボルトがナットに対して締め付けられることにより、留具の支点部がダクト本体の側壁部の外側面に接触し、ボルトの雄ねじ部が留具の貫通孔部に接触して留具のダクトカバー側への移動を規制し、留具が支点部を中心としてダクト本体の側に傾き、留具の本体部がナットの側壁部からダクト本体の外側に突出した端面に受け止められてダクト本体とダクトカバーとから離れていると共に上方にせり上がることなく、フック部がダクトカバーをダクト本体に押し付ける構成になったことを特徴とするダクトカバー固定装置。
【請求項２】
受止め部がダクトカバーからダクトカバーの表面の側に突出した縦片部と縦片部からダクトカバーと離れてダクトカバーの一端部の側に突出した縦片部とを備え、縦片部とダクトカバーの表面との間に留具のフック部を収容する空間部を備えたことを特徴とする請求項１記載のダクトカバー固定装置。
【請求項３】
ダクト本体の側壁部のダクトカバーの側にはフランジ部が側壁部からダクト本体の内部の側に突出して設けられ、受止め部はダクトカバーがダクト本体に被せられた時にダクトカバーのフランジ部と重なる部分に設けられたことを特徴とする請求項１記載のダクトカバー固定装置。
【考案の詳細な説明】
【技術分野】
【０００１】
本考案は、電話線、送電線、電線、光ファイバー、鋼索等の長尺な物品の収納に用いるダクト本体にダクトカバーを固定するダクトカバー固定装置に関する。
【背景技術】
【０００２】
図６は、特許文献１で開示されたダクトカバー固定装置を示す。図６に示すように、ダクトカバー固定装置１は、ダクト本体１６にダクトカバー１７を固定する構成である。具体的には、ナット３がダクト本体１６の側壁部１８に固定され、ダクトカバー１７がダクト本体１６に被せられ、ダクトカバー１７のフランジ部２２が側壁部１８の外側面に配置され、ダクトカバー１７がダクト本体１６のフランジ部２０の外側面に配置される。
【０００３】
そして、留具２のフック部１１がダクトカバー１７に被せられ、ボルト５の雄ねじ部がワッシャ４の貫通孔部から本体部１０の貫通孔部１３を経由してナット３に締め付けられることにより、フック部１１がダクトカバー１７をダクト本体１６に強く押し付ける。これにより、ダクト本体１６にダクトカバー１７を留具２とナット３とで固定する
【０００４】
しかしながら、上記特許文献１で開示されたダクトカバー固定装置１でダクトカバー１７がダクト本体１６に取り付けられた構造において、図７に示すように、ダクト本体１６が水平状に配置された横配置部分３２では問題がないけれども、ダクト本体１６が垂直状等の縦方向に配置される縦配置部分３３には、ダクトカバー１７をダクト本体１６に被せてからダクトカバー固定装置１でダクト本体１６に固定するまでの間、作業者がダクトカバー１７を下方にずれないように支持する必要があることが分かった。しかも、ダクトカバー１７が大型になると、数人の作業者でダクトカバー１７を支える必要があることも判明した。
【先行技術文献】
【特許文献】
【０００５】
【特許文献１】実用新案登録第３１７６１３１号公報
【考案の概要】
【考案が解決しようとする課題】
【０００６】
本考案は、上記背景技術に鑑みてなされたものであり、ダクトカバーの取り付け易さと脱落防止とを達成することを目的とする。
【課題を解決するための手段】
【０００７】
本考案は、ダクト本体にダクトカバーを固定する留具とボルトとナットと受止め部とかなるダクトカバー固定装置であって、留具が本体部と本体部の一端部から折り曲げられたフック部と本体部の他端部からフック部と同じ側に折り曲げられた支点部と本体部に設けられた貫通孔部とを備えており、ナットがダクト本体の側壁部に固定されて側壁部からダクト本体の外側に突出した構成であり、受止め部がダクトカバーからダクトカバーの表面の側に突出した構成であり、ダクトカバーがダクト本体に被せられ、留具がダクト本体の側壁部の外側面側にボルトと上記ナットとで取り付けられ、留具のフック部がダクトカバーの表面に重ねられて受止め部を支え、ボルトがナットに対して締め付けられることにより、留具の支点部がダクト本体の側壁部の外側面に接触し、ボルトの雄ねじ部が留具の貫通孔部に接触して留具のダクトカバー側への移動を規制し、留具が支点部を中心としてダクト本体の側に傾き、留具の本体部がナットの側壁部からダクト本体の外側に突出した端面に受け止められてダクト本体とダクトカバーとから離れていると共に上方にせり上がることなく、フック部がダクトカバーをダクト本体に押し付ける構成になったことを特徴とする。
【考案の効果】
【０００８】
本考案は、横方向に配置されたダクト本体にダクトカバーを固定する場合でも縦方向に配置されたダクト本体にダクトカバーを固定でも適用可能であるが、とりわけ、縦方向に配置されたダクト本体にダクトカバーを固定する場合には、ダクトカバーがダクト本体に被せられ、留具がダクト本体の側壁部の外側面側にボルトとダクト本体に固定されたナットとで取り付けられ、留具のフック部がダクトカバーの表面に重ねられて受止め部を支えることにより、ダクトカバーをダクト本体に被せてからダクトカバー固定装置で固定するまでの間、作業者がダクトカバーを下方にずれないように支持する必要はなく、ダクトカバーが取り付け易くなるうえ、留具のフック部とダクトカバーの受止め部との係り合いによりダクトカバーの脱落を防止する効果を奏する。
【０００９】
又、本考案は、留具が本体部とフック部と支点部と貫通孔部とからなる簡単構造であり、ダクトカバーがナットを備えたダクト本体に被せられ、留具のフック部がダクトカバーに乗せられ、ボルトの雄ねじ部が留具の本体部の外部から留具の貫通孔部を経由してナットに締め付けられると、支点部がダクトカバーの側壁部に接触し、ボルトの雄ねじ部が留具の貫通孔部に接触して留具の上方への移動を規制し、留具の本体部がナットにおける側壁部より外部に突出した端面に受け止められてダクト本体部とダクトカバーとから離れていると共に上方にせり上がることなく、留具のフック部がダクトカバーをダクト本体に押し付けることで、ダクト本体とダクトカバーとを強く固定する効果を奏する。
【００１０】
本考案において、受止め部がダクトカバーからダクトカバーの表面の側に突出した縦片部と縦片部からダクトカバーと離れてダクトカバーの一端部の側に突出した縦片部とを備え、縦片部とダクトカバーの表面との間に留具のフック部を収容する空間部を備えれば、受止め部と留具とが嵌め合い構造となり、ダクトカバーの受止め部による支えが安定する効果を奏する。
【００１１】
本考案において、ダクト本体の側壁部のダクトカバーの側にはフランジ部が側壁部からダクト本体の内部の側に突出して設けられ、受止め部はダクトカバーがダクト本体に被せられた時にダクトカバーのフランジ部と重なる部分に設けられれば、受止め部がプレス加工で切り起こされるというに、ダクトカバーに受止め部を形成した場合の残渣孔部が形成されても、ダクトカバーがダクト本体に被せられることにより、残渣孔部がフランジ部で塞がれ、防水性能が確保できる。
【図面の簡単な説明】
【００１２】
【図１】考案を実施するための形態に係るダクトカバー固定装置の外観を示す斜視図。
【図２】考案を実施するための形態に係るダクトカバー固定装置を分解して示す斜視図。
【図３】図１のＡ−Ａ線断面図に相当する断面図。
【図４】考案を実施するための形態に係るボルトを手で締め付けた状態を示す図１のＡ−Ａ線断面図に相当する断面図。
【図５】考案を実施するための形態に係るボルトを工具で締め付けた状態を示す図１のＡ−Ａ線断面図に相当する断面図。
【図６】従来のダクトカバー固定装置を示す正面部。
【図７】ダクトの設置形態を示す斜視図。
【考案を実施するための形態】
【００１３】
考案を実施するための形態では、図６に示した従来のダクトカバー固定装置１と同じ機能を有する部分には同一符号を用いて説明する。
【００１４】
図２を参照し、考案を実施するための形態に係るダクトカバー固定装置１について説明する。ダクトカバー固定装置は、ダクト１５のダクト本体１６にダクトカバー１７を留具２とナット３と受止め部２３とで固定する構成である。図２では、ワッシャ４を使用する場合を例示したが、ワッシャ４を使用しない場合も適用可能である。
【００１５】
ダクト１５は、ダクト本体１６とダクトカバー１７とから構成される。ダクト本体１６は、金属製であり、対向する一対の側壁部１８の間に複数本の支持材１９を設けた構成である。一対の側壁部１８が対向する方向は、ダクト本体１６の内部に収容される電話線、送電線、電線、光ファイバー、鋼索等の長尺な物品の延長する方向に直交しかつ支持材１９と平行する方向である。図２では、一対の側壁部１８の間に複数本の支持材１９が設けられ、支持材１９の間におけるダクト本体１６の底部が開放された構成を例示したが、一対の側壁部１８の間に底板部を設け、ダクト本体１６の底部が塞がれた構成でも適用可能である。
【００１６】
一対の側壁部１８には、フランジ部２０；２１とナット３とが設けられる。フランジ部２０は、一対の側壁部１８におけるダクトカバー１７の側に位置する開放側端部から一対の側壁部１８の間つまりダクト本体１６の内部の側に折り曲げられた構成である。フランジ部２１は、一対の側壁部１８における支持材１９の側に位置する開放側端部から一対の側壁部１８の間つまりダクト本体１６の内部の側に折り曲げられた構成である。フランジ部２０；２１は、ダクト本体１６と別体に形成され、ダクト本体１６に固定された構成でも適用可能である。
【００１７】
ダクトカバー１７は、金属製であり、ダクト本体１６のフランジ部２０の設けられた側の開口部を覆う板状であり、フランジ部２２と受止め部２３とを備えた構成である。ダクトカバー１７は、平屋根又は片流れ屋根のような板状を例示したが、切妻屋根のような構造でも適用可能である。
【００１８】
フランジ部２２は、ダクトカバー１７のフランジ部２０と対向する側の両側部からダクト本体１６の側に折り曲げられた構成である。フランジ部２２は、ダクトカバー１７と別体に形成され、ダクトカバー１７に固定された構成でも適用可能である。
【００１９】
受止め部２３は、縦片部２４と横片部２５とを備えた構成である。縦片部２４は、ダクトカバー１７から表面の側に突出した構成である。ダクトカバー１７の裏面はダクト本体１６の側の面であり、ダクトカバー１７の表面は裏面の反対側で外側の面である。
【００２０】
横片部２５は、ダクトカバー１７から離れ、縦片部２４からダクトカバー１７の一端部の側に突出した構成である。ダクトカバー１７の一端部は、ダクト本体１６の内部に収容される電話線、送電線、電線、光ファイバー、鋼索等の長尺な物品の延長する方向の一端部であり、ダクトカバー１７が縦方向に配置されたダクト本体１６に被せられる場合の下側の端部である。横片部２５とダクトカバー１７の表面との間には、留具２のフック部１１を収容する空間部２６が形成された構成である。この構成により、受止め部２３と留具２とが嵌め合い構造になるので、ダクトカバー１７の受止め部２３による支えが安定する。空間部２６は下側と両側とに開口した構成である。
【００２１】
尚、受止め部２３と留具２との嵌め合い構造はなくなるが、横片部２５を設けない構成でも適用可能である。
【００２２】
受止め部２３がプレス加工で切り起こされた構成である場合は、ダクトカバー１７に残渣孔部２７が形成されるから、受止め部２３はダクトカバー１７がダクト本体１６に被せられた時にダクトカバー１７のフランジ部２０と重なる部分に設けられることにより、残渣孔部２７がフランジ部２０で塞がれ、防水性能が確保できる。
【００２３】
留具２とナット３とワッシャ４とボルト５としては金属製のものを用いれば耐久性及び強度の上から適用可能であるが、考案を実施するための形態では留具２がステンレス製であり、防錆性能を高める構成であり、ナット３が雌ねじ部６を備えたアルミニウム製であり、ダクト１５のダクト本体１６とダクトカバー１７とを運搬する際にナット３による擦過傷がダクト本体１６やダクトカバー１７に付かない構成である。
【００２４】
又、ワッシャ４及びボルト５は市販品が用いられており、コストダウンが図られている。ワッシャ４は、中心部に貫通孔部７を備える。ボルト５は、雄ねじ部８の一端部に雄ねじ部８より外径の大きな頭部９を有する有頭ボルトにより構成される。
【００２５】
留具２は、板状の本体部１０とフック部１１と支点部１２と貫通孔部１３とを備えた構成である。フック部１１は、本体部１０の一端部から折り曲げられた構成である。支点部１２は、本体部１０の他端部からフック部１１と同じ側に折り曲げられた構成である。貫通孔部１３は、フック部１１と支点部１２と間の本体部１０に設けられた構成である。
【００２６】
貫通孔部１３は、ボルト５の雄ねじ部８が直線的に挿入可能で雄ねじ部８の外径に近い内径を有する大きさであり、例えば、ボルト５に対応して使用されるワッシャ４として市販されているワッシャ４に形成された貫通孔部７と同じ大きさであれば適用可能である。
【００２７】
図１及び図２を参照し、考案を実施するための形態に係るダクトカバー固定装置１により縦方向に配置されたダクト本体１６にダクトカバー１７を固定する場合について説明する。図２において、ダクトカバー１７を留めるのに必要な個数の留具２がダクト本体１６におけるダクトカバー１７の被せられる部分にボルト５で取り付けられる。この場合、ボルト５の雄ねじ部８が留具２の外部からワッシャ４の貫通孔部７及び本体部１０の貫通孔部１３を経由してナット３に装着される。
【００２８】
ダクトカバー１７を留めるのに必要な個数としては、下記個数に限定されるものでないが、例えば、上下左右の４個、或いは、上中下左右の６個等が考えられる。尚、ダクトカバー１７を留めるのに必要な個数の全部の留具２がダクト本体に取り付けられても良いが、先ず、ダクト本体１６に取り付けられる留具２の個数は、下側の左右の一方又は両方に位置する留具２の１個又は２個でも良い。
【００２９】
そして、ダクトカバー１７がダクト本体１６に被せられる場合に、図１に示すように、フランジ部２２が一対の側壁部１８の外側に配置され、ダクトカバー１７がフランジ部２０と下側の留具２のフック部１１との間の空間部２６に入れられ、下側の受止め部２３がフック部１１に嵌め込まれ、フック部１１が横片部２５とダクトカバー１７との間の空間部２６に配置され、縦片部２４がフック部１１の上に接触してフック部１１に支えられる。このように、受止め部２３がフック部１１に嵌め込まれるのは、下側の左右の一方でも良いが、下側の左右の両方であれば、ダクトカバー１７の留具２による支えが安定する。上記下側の留具２は、ダクト本体１６の内部に収容される電話線、送電線、電線、光ファイバー、鋼索等の長尺な物品の延長する方向の下側に位置する留具２である。
【００３０】
以上により、ダクト本体１６が縦方向に配置された場合であっても、ダクトカバー１７をダクト本体１６に被せてからダクトカバー固定装置１で固定するまでの間、作業者がダクトカバー１７を下方にずれないように支持する必要はなく、ダクトカバー１７が取り付け易くなる。しかも、
【００３１】
次に、ダクト本体１６が全体的にフランジ部２０に重ねられ、上記受止め部２３の嵌め込まれた留具２以外の留具２が受止め部２３に嵌め込まれ、フック部１１が横片部２５とダクトカバー１７との間に配置される。そして、ボルト５の雄ねじ部８が留具２の外部からワッシャ４の貫通孔部７及び本体部１０の貫通孔部１３を経由してナット３に締め付けられる。
【００３２】
ボルト５が締め付けられると、留具２の支点部１２がダクト本体１６の側壁部１８に接触し、雄ねじ部８が貫通孔部１３の下縁に接触して留具２の上方への移動を規制し、留具２が支点部１２を中心としてダクト本体１６の側に傾き、留具２の本体部１０がナット３に接触してダクト本体１６とダクトカバー１７とから離れていると共に上方にせり上がることなく、フック部１１がダクトカバー１７をダクト本体１６に強く押し付けることができる。しかも、ダクトカバー固定装置１でダクトカバー１７がダクト本体１６に固定された状態においては、留具２のフック部１１とダクトカバー１７の受止め部２３との互いの係り合いにより、ダクトカバー１７のダクト本体１６からの脱落を防止することはができる。
【００３３】
尚、図２において、下側の受止め部２３の横片部２５と上側の受止め部２３の横片部２５とが縦片部２４から互いに同じ方向に突出した構成であるが、下側の受止め部２３の横片部２５と上側の受止め部２３の横片部２５とが縦片部２４から互いに相反する方向又は違う方向に突出した構成でも適用可能である。例えば、下側の受止め部２３の横片部２５が縦片部２４から下側に突出し、上側の受止め部２３の横片部２５が縦片部２４から上側に突出した構成でも良い。
【００３４】
上記ボルト５の締め付けに伴い、留具２の本体部１０がナット３に接触してダクトカバー１７のフランジ部２２から離れていると共に上方にせり上がることのない構成については、図３乃至図６で詳述する。
【００３５】
図３を参照し、考案を実施するための形態に係るダクトカバー固定装置１の詳細な構造について説明する。側壁部１８に取り付けられたナット３には、ポップリベット・ファスナー株式会社製のアルミニウム製のポップナット３(ＰＯＰ  ＮＵＴ：登録商標）を使用し、側壁部１８に形成された取付孔部２８を利用してナット３の一端部がかしめられて側壁部１８に固定される。
【００３６】
ナット３の他端部が側壁部１８から外部に突出した寸法Ｈは、留具２の支点部１２が本体部１０から突出する寸法よりも小さい。これにより、留具２のフック部１１がフランジ部２０の外側面に接触され、留具２の支点部１２が側壁部１８の外側面に接触され、留具２の本体部１０が側壁部１８と平行になるように、留具２を側壁部１８の外部に配置した場合には、隙間２９がナット３と本体部１０との間に形成される。
【００３７】
一方、留具２のフック部１１がフランジ部２０の上側面に全面的に接触され、留具２の支点部１２が側壁部１８の外側面に接触され、留具２の本体部１０が側壁部１８と平行になるように、留具２を側壁部１８の外部に配置した場合には、本体部１０の貫通孔部１３の中心Ｌ１がナット３の雌ねじ部６の中心Ｌ２より上方に位置がずれて配置されると共に、ボルト５の雄ねじ部８が貫通孔部１３を直線的に経由して雌ねじ部６に装着可能になるように配置される。
【００３８】
図４乃至図６を参照し、考案を実施するための形態に係るダクトカバー固定装置によりダクト本体１６とダクトカバー１７とを固定する工程について詳述する。先ず、図４に示すように、ボルト５の雄ねじ部８が留具２の外部からワッシャ４の貫通孔部７及び本体部１０の貫通孔部１３を経由してナット３に装着され、フック部１１がダクト本体１６に被せられたダクトカバー１７と横片部２５との間に入れられた状態において、人が手でボルト５を締め付ける。
【００３９】
そして、ナット３の雌ねじ部６に対する雄ねじ部８の進入量が増加するのに伴い、留具２がナット３の側に移動して、支点部１２がダクト本体１６の側壁部１８に接触して、留具２が支点部１２を中心としてダクト本体１６の側に傾く一方、雄ねじ部８が貫通孔部１３の支点部側面３０に接触して留具２の上方への移動を規制し、フック部１１の先端部がダクトカバー１７から僅かに離れて、本体部１０がフランジ部２２とダクト本体１６とから離れていると共に上方にせり上がることなく、フック部１１がダクトカバー１７をダクト本体１６に押し付ける。
【００４０】
その後、図５に示すように、雄ねじ部８が貫通孔部１３の支点部側面３０に接触して留具２の上方への移動を規制したまま、人がレンチのような工具でボルト５を締め付けることにより、ナット３の雌ねじ部６に対する雄ねじ部８の進入量が更に増加するのに伴い、本体部１０が支点部１２を中心としてダクト本体１６の側に更に傾き、本体部１０がナット３の側壁部１８から外部に突出した端面のフック部側縁３１で受け止められ、本体部１０が支点部１２の側からフック部１１の側に行くに従って側壁部１８に徐々に近づく斜めの状態になり、フック部１１がダクトカバー１７をダクト本体１６に更に押し付ける。
【００４１】
考案を実施するための形態に係るダクトカバー固定装置によれば、図４に示すようにボルト５が工具を使用しない人力で締め付けられる場合でも、図５に示すようにボルト５が工具を用いた力により締め付けられる場合でも、ボルト５の雄ねじ部８が留具２の貫通孔部１３の支点部側面３０に接触しているので、本体部１０が上方にせり上がることなく、留具２が支点部１２を中心としてダクト本体１６の側に傾いて、本体部１０がダクトカバー１７のフランジ部２２とダクト本体１６とから離れていて、フック部１１がダクトカバー１７をダクト本体１６に押し付けるので、留具２でダクトカバー１７をダクト本体１６に強く固定することができるうえ、ダクトカバー１７とダクト本体１６との間に隙間ができないようにダクトカバー１７とダクト本体１６とが接触するので、ダクト１５の防水性能が高くなる。
【００４２】
又、図５に示すように、ボルト５の雄ねじ部８が留具２の外部に出っ張ることがなく、ボルト５の頭部が留具２の外部に突出するだけであるので、人や物がボルト５に引っかかりにくくなる。又、図６に示すように、ボルト５の雄ねじ部８がナット３よりダクト１５の内部の側に突出しないように、ボルト５の長さを選定すれば、ダクト１５の内部つまりダクト本体１６とダクトカバー１７とで囲まれた内部に収納される長尺な物品が雄ねじ部８から傷を受けることもない。
【００４３】
尚、ダクトカバー１７に受止め部２３が設けられた構成は、ダクトカバー１７が縦方向に配置されたダクト本体１６に固定される場合に限定されるものではなく、ダクトカバー１７が横方向に配置されたダクト本体１６に固定される場合であっても適用可能である。ダクトカバー１７が横方向に配置されたダクト本体１６に固定される場合においては、横片部２５が縦片部２４からダクトカバー１７の一端部の側に突出した場合のダクトカバー１７の一端部は、ダクト本体１６の内部に収容される電話線、送電線、電線、光ファイバー、鋼索等の長尺な物品の延長する方向の一端部である。
【符号の説明】
【００４４】
１はダクトカバー固定装置、２は留具、３はナット、４はワッシャ、５はボルト、６は雌ねじ部、７は貫通孔部、８は雄ねじ部、９は頭部、１０は本体部、１１はフック部、１２は支点部、１３は貫通孔部、１４は欠番、１５はダクト、１６はダクト本体、１７はダクトカバー、１８は側壁部、１９は支持材、２０；２１；２２はフランジ部、２３は受止め部、２４は縦片部、２５は横片部、２６は空間部、２７は残渣孔部、２８は取付孔部、２９は隙間、３０は支点部側面、３１はフック部側縁、３２はダクト本体１６の横配置部分、３３はダクト本体１６の縦配置部分、Ｈはナット３の他端部が側壁部１８から外部に突出した寸法、Ｌ１は貫通孔部１３の中心、Ｌ２は雌ねじ部６の中心。
【図１】
0003189483.tif 000003
【図２】
0003189483.tif 000004
【図３】
0003189483.tif 000005
【図４】
0003189483.tif 000006
【図５】
0003189483.tif 000007
【図６】
0003189483.tif 000008
【図７】
0003189483.tif 000009